(57)【特許請求の範囲】
【請求項１】
所定の幅を有する環状のリング池(1)を設けるリング壁(2)と、このリング壁(2)の間に設けられる各々のリング池(1)の池水を強制的に流動させる強制流動器(15)とを備えるマグロの養殖装置であって、
リング池(1)の外側にマグロの取上池(5)を連結しており、リング池(1)からマグロを取上池(5)に案内して取上池(5)からマグロを取り出すようにしてなるマグロの養殖装置。
【請求項２】
前記取上池(5)がリング池(1)に隣接して平行に配設され、前記強制流動器(15)が取上池(5)とリング池(1)の両方の池水を同じ方向に流動させている請求項１に記載されるマグロの養殖装置。
【請求項３】
前記取上池(5)の幅がリング池(1)よりも狭い請求項１に記載されるマグロの養殖装置。
【請求項４】
前記取上池(5)の幅が５０ｃｍ以上であって１．５ｍ以下である請求項３に記載されるマグロの養殖装置。
【請求項５】
前記リング池(1)の外側リング壁(2A)の外側に、外側リング壁(2A)と平行に湾曲壁(52)を設けて、湾曲壁(52)と外側リング壁(2A)との間に前記取上池(5)を設けている請求項１に記載されるマグロの養殖装置。
【請求項６】
前記取上池(5)のリング池(1)との連結部に、開閉ガイド(54)を設けており、この開閉ガイド(54)を開いてリング池(1)のマグロを取上池(5)に案内するようにしてなる請求項１に記載されるマグロの養殖装置。
【請求項７】
前記取上池(5)の両端をリング池(1)に連結しており、取上池(5)の両端の連結部に開閉ガイド(54)を設けており、一方の開閉ガイド(54)を開いてリング池(1)のマグロを取上池(5)に案内し、他方の開閉ガイド(54)を開いて取上池(5)のマグロをリング池(1)に戻すようにしてなる請求項１に記載されるマグロの養殖装置。
【請求項８】
前記開閉ガイド(54)が、池水を通過させてマグロを通過させない通水性を有する請求項６または７に記載されるマグロの養殖装置。
【請求項９】
前記取上池(5)からマグロを取り出す取上具(10)を備え、この取上具(10)が、取上池(5)に入れて内側にマグロを案内する載せ部(10A)と、この載せ部(10A)の両端に連結している引上部(10B)とを備え、
前記取上具(10)の載せ部(10A)にマグロを入れて、引上部(10B)で引き上げて、マグロを取上池(5)から取り出すようにしてなるマグロの養殖装置。
【請求項１０】
前記取上具(10)がシート材(11)の両側に２本のロッド(14)を連結して、シート材(11)を載せ部(10A)、ロッド(14)を引上部(10B)としている請求項９に記載されるマグロの養殖装置。
【請求項１１】
前記取上具(10)のシート材(11)が、非通水性の底シート(12)の両側に通水ネット(13)を連結したものである請求項１０に記載されるマグロの養殖装置。
【発明の詳細な説明】
【技術分野】
【０００１】
本発明は、マグロの養殖装置、とくに池水を一定の方向に流してマグロを遊泳して養殖する装置に関する。ただし、本明細書においてマグロ牧場に相当する養殖装置は、マグロを大きくするためのみではなく、マグロを一時的に畜養する装置を含む意味に使用する。
【背景技術】
【０００２】
本発明者は、地上に設置して池水を一定の方向に流す魚の養殖池を開発した。（特許文献１参照）この養殖池は、図１に示すように、複数のリング池９１を同心に配置している。この養殖池は、各々のリング池９１の池水を矢印で示すように流している。この養殖池は、リング池９１の池水の流れに逆らうように魚を泳がせながら、回遊魚のマグロを養殖できる。この養殖池は、マグロを遊泳させながら自然に近い理想的な環境で生育できる。養殖池で大きく生育したマグロは、養殖池から取り出す必要がある。養殖池から取り出すときに、マグロが激しく暴れると、魚肉の味が低下することから、いかに暴れないように取り出すかが大切である。マグロの理想的な出荷方法は、暴れないように養殖池から取り上げた後、速やかに刺殺して冷蔵する方法であるが、大きなマグロを暴れないように取り上げするのは極めて難しい。現在、養殖池からマグロを取り上げるために、マグロを餌で釣り上げることによって取り上げて刺殺している。しかしこの方法は、取り上げに極めて手間がかかるばかりでなく、マグロを暴れないように捕まえるのも難しい。また、出荷サイズのマグロを選別して取り上げすることもできない。
【特許文献１】実開昭６３−１１９３５７号公報
【発明の開示】
【発明が解決しようとする課題】
【０００３】
本発明は、以上の欠点を解決することを目的に開発されたものである。本発明の重要な目的は、出荷サイズのマグロを選別しながら、簡単かつ容易に、しかも暴れないように養殖池から取り上げできるマグロの養殖装置を提供することにある。
【課題を解決するための手段】
【０００４】
本発明のマグロの養殖装置は、前述の目的を達成するために以下の構成を備える。
マグロの養殖装置は、所定の幅を有する環状のリング池１を設けるリング壁２と、このリング壁２の間に設けられる各々のリング池１の池水を強制的に流動させる強制流動器１５とを備える。さらに、マグロの養殖装置は、リング池１の外側にマグロの取上池５を連結しており、リング池１からマグロを取上池５に案内して取上池５からマグロを取り出すようにしている。
【０００５】
本発明の請求項２のマグロの養殖装置は、取上池５をリング池１に隣接して平行に配設しており、強制流動器１５が取上池５とリング池１の両方の池水を同じ方向に流動させている。
【０００６】
本発明の請求項３のマグロの養殖装置は、取上池５の幅をリング池１よりも狭くしている。さらに、本発明の請求項４のマグロの養殖装置は、取上池５の幅を５０ｃｍ以上であって１．５ｍ以下としている。
【０００７】
本発明の請求項５のマグロの養殖装置は、リング池１の外側リング壁２Ａの外側に、外側リング壁２Ａと平行に湾曲壁５２を設けて、湾曲壁５２と外側リング壁２Ａとの間に取上池５を設けている。
【０００８】
本発明の請求項６のマグロの養殖装置は、取上池５とリング池１との連結部に、開閉ガイド５４を設けており、この開閉ガイド５４を開いてリング池１のマグロを取上池５に案内する。
【０００９】
本発明の請求項７のマグロの養殖装置は、取上池５の両端をリング池１に連結しており、取上池５の両端の連結部に開閉ガイド５４を設けている。この養殖装置は、一方の開閉ガイド５４を開いてリング池１のマグロを取上池５に案内し、他方の開閉ガイド５４を開いて取上池５のマグロをリング池１に戻す。
【００１０】
さらに、本発明の請求項８のマグロの養殖装置は、開閉ガイド５４が、池水を通過させてマグロを通過させない通水性を有している。
【００１１】
本発明の請求項９のマグロの養殖装置は、取上池５からマグロを取り出す取上具１０を備える。この取上具１０は、取上池５に入れて内側にマグロを案内する載せ部１０Ａと、この載せ部１０Ａの両端に連結している引上部１０Ｂとを備える。この養殖装置は、取上具１０の載せ部１０Ａにマグロを入れて、引上部１０Ｂで引き上げて、マグロを取上池５から取り出す。
【００１２】
さらに、本発明の請求項１０のマグロの養殖装置は、取上具１０がシート材１１の両側に２本のロッド１４を連結して、シート材１１を載せ部１０Ａ、ロッド１４を引上部１０Ｂとしている。さらにまた、本発明の請求項１１のマグロの養殖装置は、取上具のシート材１１を、非通水性の底シート１２の両側に通水ネット１３を連結したものとしている。
【発明の効果】
【００１３】
本発明のマグロの養殖装置は、出荷サイズのマグロを選別しながら、簡単かつ容易に、しかも暴れないように池から取り上げできる。このため、能率よく速やかにマグロを取り上げしながら、取り上げするときにマグロが暴れて魚肉の品質が低下するのを防止できる特徴がある。それは、本発明の養殖装置が、リング壁の間にリング池を設けて、このリング池の池水を強制的に流動させると共に、このリング池の外側にマグロの取上池を連結して、リング池からマグロを取上池に案内して取上池からマグロを取り出すようにしているからである。このように、本発明の養殖装置は、リング池から取上池にマグロを案内して取り出すので、従来とは異なり、出荷サイズのマグロを選別しながら理想的に取り出しできる。また、池水を強制的に流しているリング池は、マグロが流れに逆らって泳ぐ。したがって、リング池に連結している取上池には、リング池を泳いでいるマグロをスムーズに案内できる。
【００１４】
とくに、本発明の請求項２のマグロの養殖装置は、取上池をリング池に隣接して平行に配設して、強制流動器でもって、取上池とリング池の両方の池水を同じ方向に流動させている。この養殖装置は、リング池を流れに逆らって泳ぐマグロを、リング池から取上池によりスムーズに案内できる。また、取上池に案内されたマグロは、取上池においても流れに逆らって泳ぐことから、池水に対する速度は速くても、取上池に対する相対速度を遅くできる。マグロの取上池に対する移動速度が、マグロの遊泳速度と池水の流速との差となるからである。このため、取上池に案内されたマグロを簡単に補足して取り上げできる。
【００１５】
さらに、本発明の請求項３の養殖装置は、取上池の幅をリング池よりも狭くしており、また、請求項４の養殖装置は、取上池の幅を５０ｃｍ以上であって１．５ｍ以下と狭くしている。このため、取上池に案内されたマグロを簡単に取り上げできる。
【００１６】
さらにまた、本発明の請求項５の養殖装置は、リング池の外側リング壁の外側に、外側リング壁と平行に湾曲壁を設けて、湾曲壁と外側リング壁との間に取上池を設けている。この構造は、リング壁の外側に湾曲壁を設けて簡単に取上池を設けることができ、また、取上池とリング池とを平行に配設するので、リング池を泳ぐマグロをスムーズに取上池に案内できる。
【００１７】
さらに、本発明の請求項６の養殖装置は、取上池のリング池との連結部に、開閉ガイドを設けており、この開閉ガイドを開いてリング池のマグロを取上池に案内するようにしているので、リング池を泳ぐマグロを確実に取上池に案内できる。とくに、本発明の請求項７の養殖装置は、取上池の両端をリング池に連結して、両端の連結部に開閉ガイドを設けており、一方の開閉ガイドを開いてリング池のマグロを取上池に案内し、他方の開閉ガイドを開いて取上池のマグロをリング池に戻すようにしている。この構造の取上池は、リング池のマグロを取上池にスムーズに案内し、取上池でマグロの大きさなどを判定して、取り上げるマグロは取上池から排出し、取り上げしないマグロは、開閉ガイドを開いてリング池に簡単に戻すことができる。このため、取り上げするマグロを簡単に選別しながら排出できる。また、本発明の請求項８の養殖装置は、開閉ガイドが、池水を通過させてマグロを通過させない通水性を有する構造とするので、取上池に池水を循環しながら、開閉ガイドを開閉できる。また、取上池に池水を循環できるので、取上池の水が淀むのを有効に防止できる。
【００１８】
さらに、本発明の請求項９の養殖装置は、取上池からマグロを取り出す取上具を備えており、この取上具は、取上池に入れて内側にマグロを案内する載せ部と、この載せ部の両端に連結している引上部とを備えているので、取上池に案内されるマグロを取上具の載せ部に入れて、引上部で引き上げて、簡単かつ速やかにマグロをリング池から取り出すことができる。とくに、本発明の請求項１０のマグロの養殖装置は、取上具がシート材の両側に２本のロッドを連結して、シート材を載せ部、ロッドを引上部としているので、２本のロッドを持って、シート材を取上池に入れて、また、２本のロッドを引き上げて、シート材を取上池から引き上げるので、魚を速やかに傷つけることなく取り出しできる。さらにまた、本発明の請求項１１のマグロの養殖装置は、取上具のシート材を、非通水性の底シートの両側に通水ネットを連結したものとするので、マグロが傷つくのを防止しながら能率よく取り上げできる特徴がある。それは、マグロを底シートに載せることで暴れるのを抑えると共に、マグロの体表を底シートで保護しながら、両側の通水ネットで水切りして、速やかに取り出しできるからである。
【発明を実施するための最良の形態】
【００１９】
以下、本発明の実施例を図面に基づいて説明する。ただし、以下に示す実施例は、本発明の技術思想を具体化するためのマグロの養殖装置を例示するものであって、本発明は養殖装置を以下のものに特定しない。
【００２０】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２１】
図２ないし図５に示すマグロの養殖装置は、地上に設置されて、所定の幅を有する環状のリング池１を設けるリング壁２と、このリング壁２の間に設けられる各々のリング池１の池水を強制的に流動させる強制流動器１５とを備える。
【００２２】
図２ないし図５に示す養殖装置は、環状のリング池１を同心に複数列に配置している。リング池１は、所定の幅と高さを有する溝形で上方を開口している。図の養殖装置は、３列のリング池１を同心に設けている。３列のリング池１は、最内周リング池１Ａと最外周リング池１Ｃとの間に中間リング池１Ｂを設けて、各々のリング池１の幅を外側に向かって次第に広くしている。リング池１は、たとえば、最内周リング池１Ａの幅を１．５ｍ、中間リング池１Ｂの幅を２ｍ、最外周リング池１Ｃの幅を２．５ｍとする。また、リング池１を構成するリング壁２の高さは、たとえば３．６ｍとする。ただし、本発明の養殖装置は、リング池１の幅とリング壁２の高さを特定するものではない。リング池１の幅と深さは、養殖し、あるいは畜養するマグロの種類や大きさを考慮して最適値に設計される。たとえば、リング池１の幅は１ｍ〜５ｍ、リング壁２の高さは５０ｃｍ〜５ｍとすることができる。さらに、以上の養殖装置は３列のリング池１を設けているが、本発明の養殖装置は３列以上又は２列のリング池を設けることができる。
【００２３】
図の養殖装置は、地面に円形のリング壁２を垂直に固定して、リング池１の両側にリング壁２を設けている。図４と図５の養殖装置は、地面に土間コンクリート２３を打設し、この土間コンクリート２３の上にプラスチック板からなる底板２４を固定している。さらに、底板２４の上に、リング壁２となる円形のプラスチック板を接着又は溶着して垂直に固定してリング池１を設けている。土間コンクリート２３は、たとえば厚さを２０ｃｍとし、プラスチック板は５ｍｍ厚のポリエチレン板を使用する。ただ、土間コンクリートとプラスチック板は厚くして強固にできるので、リング池の大きさによって最適値とする。さらに、図４と図５の養殖装置は、最外周の外側リング壁２Ａの外側にはコンクリート２５を固定して補強している。
【００２４】
隣接するリング池１の間のリング壁２は、一部に開口部３を設けている。この開口部３は、池水を通過できる通水性区画材４でマグロが通過しないように閉塞している。図６に示す通水性区画材４は、複数の水平ロッド３１を上下に離して連結している格子３０である。格子３０の水平ロッド３１は、水平面内においてリング壁２に沿う方向に変形している。格子３０を構成する水平ロッド３１の間隔は、池水を通過させてマグロを通過させない隙間、たとえば、１ｃｍないし５ｃｍとしている。格子３０の通水性区画材４は、リング壁２の開口部３を、池水を通過させてマグロを通過しないように塞いでいる。ただ、本発明の養殖装置は、通水性区画材を格子に特定しない。通水性区画材には、池水を通過できるがマグロが通過しないように閉塞できる他のすべてのもの、たとえば、網やネットも使用できる。
【００２５】
格子３０の通水性区画材４は、リング壁２に沿う方向に変形している水平ロッド３１を、水平面内において、通水性区画材４を連結しているリング壁２と同じ曲率半径に湾曲している。この養殖装置は、リング壁２と格子３０をひとつの円周上に配置して、リング池１に沿って遊泳するマグロが格子３０に接触するのを有効に防止できる。水平ロッド３１は、ステンレス等の金属製の丸パイプである。
【００２６】
通水性区画材４の格子３０は、図７と図８に示すように、水平ロッド３１を上下ロッド３２で連結している。上下ロッド３２は、水平ロッド３１の中間の複数カ所を連結して、水平ロッド３１の間隔を一定に保持している。上下ロッド３２は、水平ロッド３１を貫通して一定の間隔に連結する。上下ロッド３２は、水平ロッド３１を一定の間隔に保持するスペーサ筒３３に挿通している。スペーサ筒３３は、上下の水平ロッド３１に挟着されて、水平ロッド３１の間に固定される。上下ロッド３２は一端に鍔３４を有し、他端に雄ネジ３５を設けており、この雄ネジ３５にナット３６をねじ込んで、水平ロッド３１を固定している。さらに、図の通水性区画材４の格子３０は、スペーサ筒３３の表面を回転パイプ３７でカバーしている。回転パイプ３７は、スペーサ筒３３の表面を回転できるようにカバーする。したがって、回転パイプ３７はその内径をスペーサ筒３３の外径よりも大きく、かつ全長をスペーサ筒３３よりも短くしている。回転パイプ３７はステンレス等の金属パイプである。
【００２７】
さらに、通水性区画材４の格子３０は、水平ロッド３１の両端を、溝形連結材３８の溝内に挿入して、この溝形連結材３８を介して連結している。溝形連結材３８もステンレス等の金属製の溝形鋼である。この格子３０は、溝形連結材３８と水平ロッド３１を貫通するように止ネジ３９で固定している。止ネジ３９は、水平ロッド３１を直径方向に貫通するように、溝形連結材３８と水平ロッド３１を貫通して、水平ロッド３１を溝形連結材３８に固定している。水平ロッド３１と溝形連結材３８は、図示しないが、止ネジによらずリベットで連結することができ、また溶接して連結することもできる。
【００２８】
以上に示す格子３０の通水性区画材４は、水平ロッド３１や回転パイプ３７や溝形連結材３８をステンレス等の金属製としている。金属製の格子３０である通水性区画材４は、全体を強固にできる特徴がある。ただ、格子の通水性区画材は、水平ロッドや回転パイプや溝形連結材を、プラスチック製とすることもできる。プラスチック製の格子は、たとえば、ポリ塩化ビニルやポリエチレン等のプラスチックで製作される。このように、プラスチックで製作される通水性区画材は、全体を軽くしながら、低コストに製造できる。
【００２９】
格子３０の通水性区画材４は、溝形連結材３８を介して格子３０の片側を水平面内で傾動できるように、リング壁２の開口部３の一方の側縁３Ａに連結している。図９の拡大断面図に示すように、格子３０は、溝形連結材３８とリング壁２の開口部３の内面に固定している蝶番４０を介して傾動できるようにリング壁２に連結している。格子３０の通水性区画材４は、蝶番４０と反対側の側縁を脱着部４Ａとして、開口部３の他方の側縁３Ｂに脱着できるように連結している。さらに、図６に示す通水性区画材４は、水平面内でスムーズに傾動できるように、脱着部４Ａである溝形連結材３８の下端にローラー４１を設けている。この通水性区画材４は、リング池１の底面に沿ってローラー４１を回転させて、スムーズに傾動できる。
【００３０】
以上の格子３０の通水性区画材４は、脱着部４Ａを外して内側のリング壁２に連結して、マグロを内側のリング池１から外側のリング池１に移送する。図示しないが、通水性区画材は、脱着部を外側のリング壁に連結して、外側のマグロを内側に移送することもできる。図２と図３に示す通水性区画材４は、リング池１の幅よりも広くして、内側又は外側のリング壁２に連結する状態で、リング壁２に対して傾斜する姿勢としている。この通水性区画材４は、マグロをスムーズに隣のリング池１に移送できる。
【００３１】
さらに、図２と図３の養殖装置は、リング池１の外側にマグロの取上池５を設けている。図の養殖装置は、リング池１の外側リング壁２Ａの外側に、外側リング壁２Ａと平行に湾曲壁５２を設けて、湾曲壁５２と外側リング壁２Ａとの間に取上池５を設けている。取上池５は、最も外側の最外周リング池１Ｃの外側に隣接して、最外周リング池１Ｃと平行に設けている。取上池５は、その幅をリング池１よりも狭くしている。取上池５の幅は、たとえば、５０ｃｍ以上であって１．５ｍ以下とすることができる。
【００３２】
さらに、養殖装置は、取上池５とリング池１との連結部に開閉ガイド５４を設けており、この開閉ガイド５４を介して、取上池５を最外周リング池１Ｃに連結している。この養殖装置は、開閉ガイド５４を開いて、リング池１のマグロを取上池５に案内する。外側リング壁２Ａは、取上池５と最外周リング池１Ｃとの連結部に開口部３を設けており、この開口部３を開閉ガイド５４で閉塞している。図の養殖装置は、取上池５の両端をリング池１に連結しており、取上池５の両端の連結部に開閉ガイド５４を設けている。この取上池５は、一方の開閉ガイド５４を開いてリング池１のマグロを取上池５に案内し、他方の開閉ガイド５４を開いて取上池５のマグロをリング池１に戻すことができる。ただ、養殖装置は、取上池の一端のみをリング池に連結することもできる。
【００３３】
図２に示す開閉ガイド５４は、図６に示す前述の通水性区画材４と同じ構造の格子３０としている。格子３０である開閉ガイド５４は、池水を通過させて、マグロを通過させない通水性を有する構造として、マグロを確実に取上池５に案内できる。ただ、開閉ガイドは、必ずしも格子とする必要はなく、網やネットを使用して、池水を通過できるが、マグロが通過させない構造とすることもできる。このように、開閉ガイド５４が通水性を有する構造は、取上池５の水を淀ませることなく、取上池５からリング池１に、また、リング池１から取上池５に池水を流動させて、取上池５とリング池１とに理想的に池水を循環できる特徴がある。とくに、通水性を有する開閉ガイド５４は、全体を軽くして、水の抵抗を少なくできるので、取上池５やリング池１に池水を循環させる状態においても、簡単かつスムーズに開閉できる。ただ、本発明の養殖装置は、開閉ガイドを、必ずしも、池水を通過できる通水性を有する構造とする必要はない。それは、この開閉ガイド５４が、マグロを取上池５に案内するときにのみ、最外周リング池１Ｃを取上池５に連結するための部材であって、通常時において、池水を通過させる必要はないからである。したがって、開閉ガイドは、通水性のない部材とすることもできる。
【００３４】
図２と図３に示す開閉ガイド５４は、最外周リング池１Ｃの外側壁である外側ガイド壁２Ａから内側壁に移動できるように連結しており、開閉ガイド５４を最外周リング池１Ｃの内側壁に連結して、最外周リング池１Ｃのマグロを取上池５に移動できるようにしている。開閉ガイド５４は、水平面内で傾動できるように、外側リング壁２Ａの開口部３の一方の側縁３Ａに連結している。この開閉ガイド５４は、図９に示す構造と同様にして、すなわち、開口部３の側縁３Ａに固定される蝶番を介して、傾動できるように外側リング壁２Ａに連結することができる。さらに、開閉ガイド５４は、反対側の側縁を脱着部５４Ａとして、開口部３の他方の側縁３Ｂに脱着できるように連結している。図２と図３に示す開閉ガイド５４は、最外周リング池１Ｃの幅よりも広くして、内側壁に連結する状態で、リング壁２に対して傾斜する姿勢としている。この開閉ガイド５４は、マグロをスムーズに取上池５に移送できる。
【００３５】
図３において、取上池５の右端に連結している開閉ガイド５４は、図の鎖線で示す位置（図２において矢印Ａで示す方向）に移動して、最外周リング池１Ｃのマグロを取上池５に移送する。開閉ガイド５４を実線位置に連結して、最外周リング池１Ｃのマグロを取上池５に移送することなく、最外周リング池１Ｃに遊泳させる。さらに、図３において取上池５の左上端部に連結している開閉ガイド５４は、図の鎖線で示す位置（図２において矢印Ｂで示す方向）に移動して、取上池５に移したマグロを最外周リング池１Ｃに戻すことができる。最外周リング池１Ｃに取上池５を連結して、開閉ガイド５４で最外周リング池１Ｃのマグロを取上池５に移送できる養殖装置は、マグロを取上池５に入れて簡単に取り出しできる。また、取上池５に移動して取り出ししないマグロは、開閉ガイド５４を操作して、取上池５から最外周リング池１Ｃに簡単に移動できる。このため、取り出しするマグロを選別しながら能率よくマグロを養殖装置から取り出しできる。
【００３６】
図１０ないし図１２は、取上池５のマグロを損傷なく簡単に取り出しできる取上具１０を示す。これ等の図に示す取上具１０は、取上池５に入れて内側にマグロを案内する載せ部１０Ａと、この載せ部１０Ａの両端に連結している引上部１０Ｂとを備える。この取上具１０は、図１０に示すように、載せ部１０Ａにマグロを入れて、引上部１０Ｂで引き上げて、マグロを取上池５から簡単に、しかも損傷させない状態で取り出しできる。図の取上具１０は、シート材１１の両側に２本のロッド１４を連結して、シート材１１を載せ部１０Ａとし、ロッド１４を引上部１０Ｂとしている。載せ部１０Ａであるシート材１１は、非通水性の底シート１２の両側に通水ネット１３を連結したものである。通水ネット１３は、網材やシートに多数の貫通孔を設けて通水できるようにしてなるシートである。
【００３７】
この取上具１０は、以下のようにして、取上池５のマグロを取り出しする。
（１）図３において、取上池５の右端に連結している開閉ガイド５４を実線位置として、取上池５にマグロを入れない状態で、２本のロッド１４の間隔を取上池５の幅にほぼ等しくなるように広げて、シート材１１を取上池５につり込む。
（２）その後、図３において取上池５の右端の開閉ガイド５４を鎖線で示す位置（図２において矢印Ａで示す方向）に移動して、最外周リング池１Ｃのマグロを取上池５に移動させる。このとき、取上池５の左上の開閉ガイド５４は、取上池５のマグロが最外周リング池１Ｃに戻らないように、実線で示す位置として、取上池５の左上端を閉塞する。
（３）引上部１０Ｂである２本のロッド１４をつり上げると、載せ部１０Ａであるシート材１１の上のマグロが取上池５から取り上げられる。このとき、マグロは、図１０に示すように、底シート１２に縦に乗って暴れることがなく、また、水はシート材１１の通水ネット１３から排水される。したがって、マグロが底シート１２の上に乗った状態で、水切りして取り出し、能率よく、しかもマグロを損傷することなく取り出しできる。
【００３８】
リング池１の池水は、強制流動器１５で同じ方向に回転するように流動される。さらに強制流動器１５は、リング池１の外側に隣接して配設される取上池５の池水も、リング池１と同じ方向に流動させている。すなわち、図の強制流動器１５は、取上池５とリング池１の両方の池水を同じ方向に流動させている。この養殖装置は、開閉ガイド５４を開いて取上池５を最外周リング池１Ｃに連結する状態で、最外周リング池１Ｃ内を流れに逆らって泳ぐマグロを、最外周リング池１Ｃから取上池５に、よりスムーズに案内できる。また、取上池５に案内されたマグロは、取上池５においても流れに逆らって泳ぐことから、取上池５に案内されたマグロを簡単に補足して取り上げできる。それは、池水に対するマグロの速度は速くても、取上池５に対する相対速度を遅くできるからである。
【００３９】
図２ないし図４の強制流動器１５は、ポンプ１６と、このポンプ１６で加圧して排出される池水を噴射するノズル１８を固定している給水パイプ１７とからなる。図２ないし図４の養殖装置は、対向する位置に給水パイプ１７を配置している。図において左側に配置される給水パイプ１７に池水を供給するポンプ１６は水中ポンプで、池水を吸入し、これを加圧して給水パイプ１７に供給する。図３と図４において右側に配置される給水パイプ１７に池水を供給するポンプ１６は、後述する浄化槽２８で浄化された水を吸入し、これを加圧して給水パイプ１７に供給する。給水パイプ１７は、リング池１の液面から上方に離れて配置される。この給水パイプ１７は、リング池１を遊泳するマグロが衝突することがない。給水パイプ１７は、所定の間隔で複数のノズル１８を固定している。ノズル１８は、ポンプ１６から供給される池水をリング池１の水面に噴射して、リング池１の池水を加速して、リング池１に沿って回転させる。ノズル１８は、リング池１の池水を流す方向に傾斜して、リング池１の水面に池水を噴射する。養殖装置の対向する位置に配置される両方の給水パイプ１７は、ノズル１８から噴射する池水で、池水を同じ方向に回転させる。給水パイプ１７は、リング池１に直交するように配置される。この構造の強制流動器１５は、リング池１の池水を一定の方向に流れるように加速しながら、池水に酸素を補給できる。ただ、本発明の養殖装置は、強制流動器１５を以上の構造には特定しない。強制流動器には、リング池の池水を一定の方向に加速して流すことができる全ての構造にできるからである。
【００４０】
強制流動器１５でリング池１に沿って回転するように流される池水は、最内周リング池１Ａの内側に異物を集積させる。ここに集められる異物をリング池１から排出するために、最内周リング池１Ａの池底の内側に、池水を流入させる排水開口６を設けて、この排水開口６に排水管７を連結している。図３の養殖装置は、最内周リング池１Ａの池底の内側に沿って排水リング８を設けて、この排水リング８に排水開口６を設けている。図１３は、排水リング８を示す斜視図である。この図の排水リング８は、上方を開口する溝形として排水開口６を設けている。さらに、この図の排水リング８は、複数のリングユニット８Ａに分割されて、分割されたリングユニット８Ａを連結具９で連結している。この構造の排水リング８は、同じ形状のリングユニット８Ａをプラスチックで成形し、これを連結具９で連結して簡単に施工できる。リングユニット８Ａは、最内周リング池１Ａの内側に沿う曲率半径に湾曲する形状であって、上方を開口する溝形に成形される。さらに、リングユニット８Ａは、連結具９に挿入して連結される連結部８ａを筒状とし、この連結部８ａを筒状の連結具９に挿入して簡単に連結できる。とくに、リングユニット８Ａと連結具９をプラスチックで成形し、これを接着剤で接着して簡単に連結できる。この構造の排水リング８は、３つのパイプをＴ字状に連結しているチーズを連結具９に使用し、この連結具９にリングユニット８Ａと排水管７を連結して、排水リング８に排水管７を簡単に連結できる。
【００４１】
溝形の排水リング８で上方を排水開口６とする構造は、最内周リング池１Ａの内側に集められる異物を速やかに外部に排出できる。ただし、本発明の養殖装置は、最内周リング池に設ける排水開口をこの構造には特定しない。たとえば、最内周リング池の底部内周に沿って複数の排水開口を設け、各々の排水開口に排水管を連結する構造、また排水リングを多数の貫通孔のあるパイプとすることもできる。また、最内周リング池の底面を内周に沿って溝のある形状に成形し、この溝に排水開口を設けて排水管を連結する構造とすることもできる。
【００４２】
排水開口６を大きく開口する構造は、最内周リング池１Ａの内側に集められる異物を速やかに排出できる。ただ、畜養されるマグロが排水開口に対して小さいと、マグロが排水開口に侵入し、あるいは、排水開口で傷つくおそれがある。したがって、養殖装置は、図４の一部拡大断面図に鎖線で示すように、排水開口６に網材１９を配置して、畜養されるマグロが排水開口６に侵入するのを防止することができる。この網材１９には、集められる異物を通過できるが、畜養されるマグロが通過できない網目のものを使用する。また、排水リングを多数の貫通孔のあるパイプとする構造は、パイプに開口される貫通孔の大きさを、異物を通過できるがマグロが通過できない大きさとしてマグロの侵入を防止できる。
【００４３】
排水管７は、図５に示すように、リング池１の底に埋設されて外部に引き出され、外部の引出部に立上部７Ａを設けている。立上部７Ａは、上端開口部７ａから池水を排水して、池水の水面レベルをコントロールする。池水の水面レベルは、立上部７Ａの上端開口部７ａのレベルにほぼ等しくなるので、立上部７Ａの上端開口部７ａの上下位置を調整してリング池１の水面レベルをコントロールできる。
【００４４】
図に示す立上部７Ａは、池水の水面レベルをコントロールする調整部２９を設けて、上端開口部７ａの高さを調整できる構造としている。図の調整部２９は、立上部７Ａの上端部に連結してなる連結筒２９Ａと、この連結筒２９Ａの上側に、脱着自在に連結される調整筒２９Ｂとからなる。この構造の調整部２９は、連結筒２９Ａに連結される調整筒２９Ｂの長さで上端開口部７ａの高さを調整できる。すなわち、この調整部２９は、連結筒２９Ａに連結する調整筒２９Ｂの長さを短くして、上端開口部７ａを低く、すなわち、池水の水面レベルを低くでき、また、連結筒２９Ａに連結する調整筒２９Ｂの長さを長くして、上端開口部７ａを高く、すなわち、池水の水面レベルを高くできる。この構造の調整部２９は、極めて簡単な構造で、池水の水面レベルを自由に調整できる。ただ、立上部は、図示しないが、伸縮できる二重筒構造として、上端開口部の高さを自由に調整することもできる。
【００４５】
排水管７から排水される池水は、排水槽２６に蓄えられる。排水管７の上端開口部７ａは排水槽２６の内部にあって、ここから排水する池水を排水槽２６に蓄える。排水管７から排水槽２６に流入される池水は、ポンプ２７で浄化槽２８に供給される。浄化槽２８は、ポンプ２７から供給される池水を物理濾過し、さらに生物濾過して清澄な池水とする。浄化槽２８で清澄になった池水は、さらにポンプ１６に吸入されて給水パイプ１７に送られる。給水パイプ１７は、供給される池水をノズル１８から勢いよく噴射して、リング池１に沿って強制的に流動させる。図の養殖装置は、リング池１の池水を、最内周リング池１Ａの池底の内側に設けた排水開口６→排水管７→排水槽２６→ポンプ２７→浄化槽２８→ポンプ１６→供給パイプ１７→リング池１に循環して、清澄に保持する。また、循環させる池水をノズル１８から噴射して、池水を強制的に流動させている。ただし、本発明のマグロの養殖装置は、排水管から排水される池水を循環することなく外部に排水することで浄化槽を設けない構造とすることもでき、また、浄化槽で清澄になった池水をノズルから噴射することなく、リング池に循環することもできる。
【００４６】
図２ないし図４の養殖装置は、リング池１の上方に、各々のリング池１に交差するように、すなわち、リング池１に橋渡しするように交差材２０を配置している。図の交差材２０は、作業用の歩み板２１と、リング池１に水を噴射して池水を加速して流動させる強制流動器１５の給水パイプ１７である。交差材２０は、これらの部材に特定するものでないが、用途を問わず交差材２０があると、リング池１のマグロに損傷を与える。リング池１の流れに逆らって遊泳するマグロが水面から飛び上がって衝突するからである。交差材２０は、ここに衝突したほとんどのマグロを死滅させる。
【００４７】
以上の弊害を解消するために、図２と図３に鎖線で示すように、交差材２０の下面から下流方向に延長して帯状の軟質材２２を配置している。図に示す帯状の軟質材２２は、マグロが衝突しても損傷しない可撓性シート２２Ａである。可撓性シート２２Ａは、図１４に示すように、一端を交差材２０の上流側の下面に固定すると共に、他端部を交差材２０の下流方向に延長して水面上に浮設している。この可撓性シート２２Ａは、図１４に示すように、下流側の先端部が池水の流れの方向に向かって流されて水面上に浮設される。さらに、給水パイプ１７である交差材２０に配設される可撓性シート２２Ａは、ノズル１８から噴射される池水が上面に供給されて、池水を一定の方向に流れるように加速して同じ方向に回転させる。マグロはリング池１の流れに逆らって泳ぐので、水面に飛び上がるマグロは、図１４において右側から左側に飛び跳ねようとする。このとき、可撓性シート２２Ａの下側において、水面に飛び上がろうとするマグロは、図の矢印Ａで示すように、可撓性シート２２Ａの下面に衝突して水中に落下して、交差材２０に衝突するのが阻止される。また、可撓性シート２２Ａの下流側において、水面に沿って飛び跳ねるマグロは、図の矢印Ｂで示すように、可撓性シート２２Ａの上面に落下するが、このマグロは、図１５に示すように、可撓性シート２２Ａに設けたスリット２２ａを通過して水中に戻り、あるいは、強制流動器１５のノズル１８から噴射される水圧で下流方向に押し流されて水中に戻る。このため、流れに逆らって飛び上がるマグロが交差材２０に衝突して損傷するのが阻止される。
【００４８】
図１５の可撓性シート２２Ａは、池水の流れに沿ってリング池１に浮設できるように、両側をリング壁２の内面に沿う湾曲形状としている。さらに、図の可撓性シート２２Ａは、上面に乗り上げたマグロを水中に戻すために、下流側の端部から中間部にかけて、複数列のスリット２２ａを開口して設けている。このスリット２２ａは、上面にマグロが乗り上げた状態では、図の鎖線で示すように拡開して、可撓性シート２２Ａの上面から下面にマグロを通過させて水中に戻す。ただ、図示しないが、このスリットは、下流側の端縁まで延長して開口して、可撓性シートの全体形状をのれん状とすることもできる。可撓性シート２２Ａは、水面から飛び上がるマグロが公差材２０に衝突するのを阻止できるように、飛び跳ねたマグロが水面上を前進する距離よりも長く、たとえば、マグロの体長の２〜５倍の長さとして、先端部を池水の流れに沿って浮設している。
【図面の簡単な説明】
【００４９】
【図１】本発明者が先に開発したマグロの養殖装置の平面図である。
【図２】本発明の一実施例にかかるマグロの養殖装置の斜視図である。
【図３】図２に示すマグロの養殖装置の概略平面図である。
【図４】図２に示すマグロの養殖装置のＡ−Ａ線断面図である。
【図５】図２に示すマグロの養殖装置のＢ−Ｂ線断面図である。
【図６】図２に示すマグロの養殖池の通水性区画材を示す斜視図である。
【図７】図６に示す通水性区画材の分解斜視図である。
【図８】図６に示す通水性区画材の垂直断面図である。
【図９】リング壁の開口部と通水性区画材の連結構造を示す拡大断面図である。
【図１０】取上具の一例を示す斜視図である。
【図１１】図６に示す取上具の側面図である。
【図１２】図６に示す取上具の展開図である。
【図１３】排水リングの一例を示す斜視図である。
【図１４】図２に示す養殖装置の軟質材を示す断面図である。
【図１５】図１４に示す軟質材の平面図である。
【符号の説明】
【００５０】
１…リング池                １Ａ…最内周リング池
１Ｂ…中間リング池
１Ｃ…最外周リング池
２…リング壁                ２Ａ…外側リング壁
３…開口部                  ３Ａ…側縁
３Ｂ…側縁
４…通水性区画材            ４Ａ…脱着部
５…取上池
６…排水開口
７…排水管                  ７Ａ…立上部
７ａ…開口部
８…排水リング              ８Ａ…リングユニット
８ａ…連結部
９…連結具
１０…取上具                １０Ａ…載せ部
１０Ｂ…引上部
１１…シート材
１２…底シート
１３…通水ネット
１４…ロッド
１５…強制流動器
１６…ポンプ
１７…給水パイプ
１８…ノズル
１９…網材
２０…交差材
２１…歩み板
２２…軟質材                ２２Ａ…可撓性シート
２２ａ…スリット
２３…土間コンクリート
２４…底板
２５…コンクリート
２６…排水槽
２７…ポンプ
２８…浄化槽
２９…調整部                ２９Ａ…連結筒
２９Ｂ…調整筒
３０…格子
３１…水平ロッド
３２…上下ロッド
３３…スペーサ筒
３４…鍔
３５…雄ネジ
３６…ナット
３７…回転パイプ
３８…溝形連結材
３９…止ネジ
４０…蝶番
４１…ローラー
５２…湾曲壁
５４…開閉ガイド            ５４Ａ…脱着部
９１…リング池
【図１】
0004691218.tif 000002
【図２】
0004691218.tif 000003
【図３】
0004691218.tif 000004
【図４】
0004691218.tif 000005
【図５】
0004691218.tif 000006
【図６】
0004691218.tif 000007
【図７】
0004691218.tif 000008
【図８】
0004691218.tif 000009
【図９】
0004691218.tif 000010
【図１０】
0004691218.tif 000011
【図１１】
0004691218.tif 000012
【図１２】
0004691218.tif 000013
【図１３】
0004691218.tif 000014
【図１４】
0004691218.tif 000015
【図１５】
0004691218.tif 000016